(57)【特許請求の範囲】
【請求項１】
切断材を載置するテーブルと、該テーブルの上方に位置して上下に移動操作可能に支持された切断機本体を備え、
前記切断機本体は、傾斜支持機構を介して、回転刃具の回転軸線を前記テーブルの上面に対して平行に位置させた直角切り位置と、該直角切り位置から前記回転軸線を左方または右方に傾斜させた傾斜切り位置との間を傾動可能な状態で前記テーブルに支持され、
前記傾斜支持機構は、前記テーブルに設けた傾斜基台部と、前記切断機本体を支持し、該傾斜基台部に対して前記テーブルの上面に平行な傾斜支軸を介して回動可能に結合された傾斜支持部と、前記傾斜基台部と前記傾斜支持部との間に介装されて前記切断機本体を前記傾斜切り位置に位置決めする傾斜位置決め機構と、前記傾斜支持部を前記傾斜基台部に対して回動不能に固定する固定部材を備えた卓上切断機における前記傾斜位置決め機構であって、
前記傾斜基台部と前記傾斜支持部の一方に、前記傾斜支軸回りの位置について複数箇所に位置決め凹部を設け、他方に、前記位置決め凹部に挿入されたロック位置と、該位置決め凹部から離脱したアンロック位置との間を移動可能な位置決め部材と、該位置決め部材を前記ロック位置と前記アンロック位置に移動操作するための切り換えレバーを設け、かつ前記位置決め部材は前記ロック位置側にばね付勢する一方、前記切り換えレバーは該ばね付勢力に抗して前記アンロック位置に保持可能に設けられて、
該位置決め部材を前記ロック位置に移動させて前記傾動支持部を前記傾動基台部に対して前記傾斜支軸回りの位置について４５°を含む複数の傾斜角度に位置決めして、前記切断機本体を前記４５°傾斜させた傾斜切り位置に加えて複数の傾斜切り位置に位置決め可能であり、
前記切り換えレバーは、前記傾斜支軸に直交する軸線回りに回転操作可能に支持された構成とした傾斜位置決め機構。
【請求項２】
請求項１記載の傾斜位置決め機構であって、前記切り換えレバーの操作方向について、使用者から見て手前側への操作をアンロック側に設定した傾斜位置決め機構。
【請求項３】
請求項１記載の傾斜位置決め機構であって、位置決め凹部として位置決め孔を設け、位置決め部材として位置決めピンを用いる構成とした傾斜位置決め機構。
【請求項４】
請求項１〜３のいずれか１項に記載した傾斜位置決め機構であって、前記傾動支持部に前記切り換えレバーとしての位置決めダイヤルを設け、該位置決めダイヤルの回転操作を前記位置決め部材の移動方向に変換して該位置決め部材を前記ロック位置と前記アンロック位置との間で移動させる構成とした傾斜位置決め機構。
【請求項５】
請求項１〜３のいずれか１項に記載した傾斜位置決め機構であって、前記切り換えレバーの傾動操作により前記位置決め部材を前記ロック位置と前記アンロック位置に移動させる構成であり、前記位置決め部材に板ばねを係合させて、該板ばねを前記切り換えレバーの傾動操作により変位する作動カムを介してその弾性力により変位させることにより当該切り換えレバーを前記位置決め部材のばね付勢力に抗して前記アンロック位置に保持可能に設けた傾斜位置決め機構。
【発明の詳細な説明】
【技術分野】
【０００１】
この発明は、例えば円形の砥石あるいは鋸刃等の回転刃具を備えた切断機本体を下動させて切断材を切断加工等する形態の卓上切断機において、切断機本体を一定の傾斜角度に位置決めするための機構に関する。
この明細書では、切断加工には、被加工材を分離する加工形態の他、被加工材を分離しないが切り込みを入れる溝入れ加工、あるいは被加工材を研削する加工等をも含むものとする。
【背景技術】
【０００２】
この種の卓上切断機は、上面に切断材を載置するためのテーブルと、このテーブルの上方に支持されて上下に移動操作する切断機本体を備えるもので、回転刃具を回転させつつ切断機本体を下動させて、テーブル上に固定した切断材に切り込むことにより切断加工が行われる。
主として木工用の卓上切断機ではテーブルが水平回転可能に支持されたものが提供されている。切断機本体は回転テーブルに支持されており、回転テーブルを一定角度回転させると切断機本体が一体で水平方向に旋回してその向きが変化する。
また、回転テーブルの上方には、切断材をテーブル面方向に位置決めするための位置決めフェンスが設けられている。この位置決めフェンスには、テーブル上面に直交し、かつテーブルの回転中心に一致する位置決め面が設けられている。この位置決め面に、切断材の基準面（側面）を当接させることにより切断材がテーブル面方向に位置決めされる。
位置決めフェンスに対してテーブルを回転させることにより、切断材の基準面に対して回転刃具の切り込み角度を傾斜させることができる。
また、主として木工用の卓上切断機では、上記のテーブルを回転させて行う傾斜切り機能（テーブル傾斜切り）に加えて若しくは代えて切断機本体を左右に傾斜させて行う傾斜切り機能（本体傾斜切り）を備えたものが提供されている。この本体傾斜切りでは、切断機本体を左方または右方に斜めに傾斜させた状態で回転刃具を切断材の上面に対して板厚方向に斜めに切り込ませることが行われる。この本体傾斜切りでは、回転刃具の回転軸線がテーブルの上面に対して平行に位置しない状態となる。これに対して前記したテーブル傾斜切りでは、回転刃具の回転軸線はテーブルの上面に対して平行に保持される。
以下、この明細書では、特に断らない限り、切断機本体を左側若しくは右側に傾斜させて行う本体傾斜切りを単に傾斜切りと称して、テーブルを回転させて行うテーブル傾斜切りと区別する。
切断機本体を傾斜させて行う傾斜切りでは、切断機本体の直角切り位置（切断機本体を傾斜させない位置）及び一定角度の傾斜切り位置への位置決めを迅速かつ精確に行えるようにする必要があり、このための技術として従来例えば下記の特許文献に記載された技術が公知になっている。
従来の傾斜切り機構は、テーブルに固定して設けた傾斜基台部（固定側）と、この傾斜基台部に対して水平方向の傾動支軸を介して一定の角度範囲内で回動可能に結合された傾斜支持部（傾動側）を主体とするもので、傾斜支持部に切断機本体が支持されている。この従来の傾斜切り機構では、傾斜基台部側に設けたストッパボルトに、傾斜支持部側に設けたストッパ凸部を当接させることにより、例えば直角切り位置と４５°傾斜位置に位置決めし、この位置決め状態を保持しつつ別途設けた固定レバーを締め込み方向に操作して切断機本体の傾斜位置を固定する構成となっていた。
【特許文献１】米国特許第６１０１９１４号公報
【特許文献２】特許第２５６３８６６号公報
【発明の開示】
【発明が解決しようとする課題】
【０００３】
このように、従来の傾斜切り機構では、直角切り位置と左右一箇所ずつの傾斜切り位置（４５°傾斜切り位置）については、ストッパ凸部をストッパボルトに当接させることにより迅速かつ精確に位置決めすることができるいわゆるポジティブストップ機構が採用されていた。このポジティブストップ機構によれば、使用者はわざわざ角度目盛りを確認することなく切断機本体を傾斜させれば一定の角度位置に位置決めすることができる。
しかしながら、従来ポジティブストップ機構により位置決めされる傾斜角度以外の傾斜角度に切断機本体を位置決めする場合には、依然として使用者は角度目盛りを目で確認しながら切断機本体を傾斜させて、目標角度で保持しつつ固定レバーを締め込んで切断機本体を固定する必要があり、この点でより多くの角度で傾斜させる場合の使い勝手がよくなかった。
本発明は、切断機本体を、直角切り位置や４５°傾斜位置以外の傾斜角度についても、従来のように角度目盛りを確認しなくても迅速かつ精確に位置決めすることができるポジティブストップ機構を採用した傾斜位置決め機構を提供することを目的とする。
【課題を解決するための手段】
【０００４】
上記の課題は、以下の各発明により解決される。
第１の発明は、切断材を載置するテーブルと、該テーブルの上方に位置して上下に移動操作可能に支持された切断機本体を備え、切断機本体は、傾斜支持機構を介して、回転刃具の回転軸線をテーブルの上面に対して平行に位置させた直角切り位置と、この直角切り位置から回転軸線を左方または右方に傾斜させた傾斜切り位置との間を傾動可能な状態でテーブルに支持され、傾斜支持機構は、テーブルに設けた傾斜基台部と、切断機本体を支持し、傾斜基台部に対してテーブルの上面に平行な傾斜支軸を介して回動可能に結合された傾斜支持部と、傾斜基台部と傾斜支持部との間に介装されて切断機本体を傾斜切り位置に位置決めする傾斜位置決め機構と、傾斜支持部を傾斜基台部に対して回動不能に固定する固定部材を備えた卓上切断機における傾斜位置決め機構であって、傾斜基台部と傾斜支持部の一方に、傾斜支軸回りの位置について複数箇所に位置決め凹部を設け、他方に、位置決め凹部に挿入されたロック位置と、位置決め凹部から離脱したアンロック位置との間を移動可能に位置決め部材とこの位置決め部材をロック位置とアンロック位置に移動操作するための切り換えレバーを設け、かつ位置決め部材はロック位置側にばね付勢する一方、切り換えレバーはばね付勢力に抗してアンロック位置に保持可能に設けられて、位置決め部材をロック位置に移動させて傾動支持部を傾動基台部に対して傾斜支軸回りの位置について４５°を含む複数の傾斜角度に位置決めして、切断機本体を４５°傾斜させた傾斜切り位置に加えて複数の傾斜切り位置に位置決め可能とした傾斜位置決め機構である。
第１の発明によれば、位置決め部材をロック位置に移動させて位置決め凹部に挿入すると傾斜支持部が傾斜支軸回りの位置について傾斜基台部に対して位置決めされて、切断機本体が一定の傾斜切り位置に位置決めされる。傾斜支軸回りの位置について複数箇所に設けた位置決め凹部を任意に選択して位置決め部材を挿入することにより、切断機本体が４５°を含む複数の傾斜位置に位置決めされる（ポジティブストップ機構）。
このことから、使用者は切断機本体を傾斜させる際に、従来のようにわざわざ角度目盛りを確認することなく位置決め凹部に位置決め部材を挿入させれば切断機本体を一定の傾斜角度位置に迅速かつ精確に位置決めすることができる。このように、４５°を含む複数の傾斜角度についてポジティストップ機構を採用した傾斜位置決め機構であるので、予め予定される傾斜角度に位置決め凹部を複数箇所設けておくことにより、切断機本体を従来よりも多くの傾斜角度で位置決めすることができ、これにより当該切断機をより多様な形態の切断加工に対応させることができる。
また、第１の発明によれば、位置決め部材がばね付勢力により自動的に位置決め凹部に挿入されることから当該傾斜位置決め機構の操作性を一層よくすることができる。
さらに、位置決めレバーはアンロック位置で位置保持可能であるので、使用者は位置決めレバーから手を離した状態で切断機本体を左右に傾動操作することができ、この点で、当該傾斜位置決め機構の操作性を一層高めることができる。
第２の発明は、第１の発明において、切り換えレバーの操作方向について、使用者から見て手前側への操作をアンロック側に設定した傾斜位置決め機構である。
第２の発明によれば、使用者は切り換えレバーを手前側へ移動操作すれば、傾斜位置決め機構がアンロックされて切断機本体を左右へ傾動させることができ、その後切り換えレバーを先方（手前側とは反対側）へ移動操作すれば切断機本体の傾斜位置が位置決めされる。このように位置決め部材をばね付勢力に抗してアンロック側へ移動させるための切り換えレバーの操作方向を、使用者がより楽に力を加えやすい手前側に設定したことにより、当該傾斜位置決め機構の操作性を高めることができる。
第３の発明は、第１の発明において、位置決め凹部として位置決め孔を設け、位置決め部材として位置決めピンを用いる構成とした傾斜位置決め機構である。
第３の発明によれば、位置決め凹部が位置決め孔であり、位置決め部が位置決めピンであることから、最も簡易かつコンパクトな構成で上記の作用効果を確実に得ることができる。
第４の発明は、第１〜第３の何れか一つの発明において、傾動支持部に切り換えレバーとしての位置決めダイヤルを設け、この位置決めダイヤルの回転操作を位置決め部材の移動方向に変換してこの位置決め部材をロック位置とアンロック位置との間で移動させる構成とした傾斜位置決め機構である。
第４の発明によれば、切り換えレバーとしての位置決めダイヤルを回転操作することにより位置決め部材をロック位置に移動させ、またばね付勢力に抗してアンロック位置に戻すことができ、傾斜支持機構の良好な操作性を確保することができる。
第５の発明は、第１〜第３の何れか一つの発明において、切り換えレバーの傾動操作により位置決め部材をロック位置とアンロック位置に移動させる構成であり、置決め部材に板ばねを係合させて、この板ばねを切り換えレバーの傾動操作により変位する作動カムを介してその弾性力により変位させることにより当該切り換えレバーの傾動操作について節度感を持たせた傾斜位置決め機構である。
第５の発明によれば、位置決め部材をロック位置とアンロック位置との間で移動操作するために行う切り換えレバーを傾動操作について節度感が持たせられているので、使用者は指先でこの切り換えレバーを傾動操作する際に位置決め部材の位置をはっきりと認識することができる、この点で当該傾斜位置決め機構の操作性を高めることができる。また、板ばねによる節度感によって切り換えレバーが中間位置で停止することが防止され、これにより位置決め部材を確実にロック位置若しくはアンロック位置に移動させることができ、この点で当該機構の信頼性を高めることができる。
【発明を実施するための最良の形態】
【０００５】
次に、本発明の実施形態を図１〜図１５に基づいて説明する。図１は、本実施形態に係る卓上切断機１の全体を示している。この卓上切断機１は、上面に切断材Ｗを固定するためのテーブル２と、このテーブル２を水平方向に一定の角度範囲で回転可能に支持するベース３と、テーブル２の後部（図１において左端部）に設けた本体支持部４と、この本体支持部４によってテーブル２の上方に支持された切断機本体１０を備えている。図１においてこの卓上切断機１の右側に使用者が位置する。テーブル２の使用者から見て手前側の前部には、使用者が把持するグリップ部２ａ及びテーブル２の回転位置を位置決め、固定するためのロック機構２ｂ等が設けられている。
テーブル２の上面には、切断材Ｗをテーブル面方向に位置決めするための位置決めフェンス５が配置されている。この位置決めフェンス５はベース３側に固定されており、テーブル上面とは僅かな隙間をおいて跨った状態に配置されてテーブル２の水平回転が許容されるようになっている。位置決めフェンス５により位置決めされた切断材Ｗは、図示省略したクランプ装置によってテーブル２の上面に固定される。
本体支持部４は、切断機本体１０をテーブル２に対して水平方向にスライド可能に支持する左右一対のスライドバー６，６と、切断機本体１０を使用者から見て左右（図１において紙面に直交する方向）に傾斜させる傾斜支持機構２０と、切断機本体１０を上下に傾動可能に支持する本体支持アーム８を備えている。スライドバー６，６を介して切断機本体１０がテーブル面方向に沿って前後方向にスライド可能に支持されている。両スライドバー６，６による切断機本体１０のスライド方向が切断方向となる。通常、切断機本体１０を図１において右側から左側に向けてスライドさせることによって切断材Ｗの切断がなされる。
本実施形態は、傾斜支持機構２０について従来にない特徴を有するもので、その他の基本的構成については特に変更を要しない。傾斜支持機構２０については後述する。
【０００６】
本体支持アーム８は、Ｌ字形に屈曲しており、その屈曲先端側に本体傾動軸９を介して切断機本体１０の本体ケース１１が上下に傾動可能に支持されている。この本体ケース１１によって円形の回転刃具１２の上側ほぼ半周の範囲が覆われている。回転刃具１２は、本体ケース１１に表示した白抜きの矢印１２ａで示すように図１において時計回り方向に回転する。回転刃具１２はスピンドル１３に取り付けられている。スピンドル１３は本体ケース１１に回転支持されており、本体ケース１１の背面側（図１では見えない）に取り付けた電動モータと減速歯車列を経て回転する。スピンドル１３の回転軸線が、回転刃具１２の回転軸線となる。
また、本体ケース１１の背面側には、使用者が把持するハンドル部１４が設けられている。使用者がこのハンドル部１４を把持してトリガ式のスイッチレバー１５を指先で引き操作すると電動モータが起動して回転刃具１２が回転する。また、使用者がハンドル部１４を把持して当該切断機本体１０を下方へ傾動させることにより回転する回転刃具１２を切断材Ｗに対して切り込むことができる。
回転刃具１２の下側ほぼ半周の範囲は、可動カバー１６によって覆われるようになっている。この可動カバー１６は、スピンドル１３と同軸若しくは平行な支軸を介して上下に回動可能な状態で本体ケース１１に支持されている。この可動カバー１６は、切断機本体１０の傾動動作に連動して開閉される。可動カバー１６と本体支持アーム８の先端部との間にはリンクアーム１７が介装されている。このリンクアーム１７の後端部（図示左端部）は、本体支持アーム８の先端部に支軸１７ａを介して上下に回動可能に結合されている。支軸１７ａは本体傾動軸９に対して一定寸法ずれて配置されている。切断機本体１０の傾動動作に伴ってこのリンクアーム１７が本体支持アーム８に対する支軸１７ａを中心にして上下に傾動する。切断機本体１０を下方へ傾動させると、可動カバー１６は図１において反時計回り方向に回動して開かれ、これにより回転刃具１２の下側半周の範囲が徐々に開かれていく。切断機本体１０を上方へ傾動させると、可動カバー１６は図１において時計回り方向に回動して徐々に閉じられていく。
【０００７】
傾斜支持機構２０は、傾斜基台部２１と傾斜支持部２２を備えている。傾斜基台部２１は、両スライドバー６，６を介してテーブル２の後部に支持されている。両スライドバー６，６の後端部は、傾斜基台部２１に固定されている。
図２には傾斜支持機構２０の詳細が示されている。傾斜支持部２２は、傾斜支軸２３を介して傾斜基台部２１に回転可能に結合されている。傾斜支軸２３は、テーブル２の上面に対して平行で、かつ平面的に見てテーブル２の回転中心を通り、また回転刃具１２の回転軸線に対して直交する状態に配置されている。傾斜支持部２２に本体支持アーム８が一体に設けられている。このため、傾斜支軸２３を中心にして傾斜支持部２２を回動させることにより切断機本体１０を左右に傾動させることができる。
傾斜基台部２１に対する傾斜支持部２２の回動位置は、固定部材２４によって固定される。本実施形態では、この固定部材２４に固定ねじが用いられている。この固定部材２４のねじ軸部２４ａが傾斜基台部２１側に設けたねじ孔２１ａ締め込まれている。固定部材２４の後端部には、固定レバー２５が取り付けられている。固定レバー２５を一定角度の範囲で回動させることにより、固定部材２４のねじ軸部２４ａをねじ孔２１ａに締め込んで傾斜支持部２２を傾斜基台部２１に固定することができ、逆にねじ軸部２４ａのねじ孔２１ａに対する締め込みを緩めて傾斜支持部２２を傾斜基台部２１に対して回動可能な状態とすることができる。
傾斜基台部２１に対する傾斜支持部２２の回動位置、ひいては切断機本体１０の左右傾斜位置は、複数箇所で位置決めできるようになっている。本実施形態の場合、使用者から見て左側及び右側のそれぞれについて、直角切り位置から２２．５°、３３．９°、４５°に位置決めすることができるようになっている。直角切り位置では、回転刃具１２がテーブル２の上面に対して直交する位置（図３において基線Ｓで示す位置）に位置する。この明細書において、切断機本体１０の左右への傾斜角度については、この基線Ｓ（直角切り位置）に対する回転刃具１２の傾斜角度で表す。従って、直角切り位置は、傾斜角度０°（ゼロ度）となる。
【０００８】
切断機本体１０の直角切り位置は、切断材Ｗをいわゆる直角切りするための位置で、回転刃具１２の回転軸線（スピンドル１３の軸線）をテーブル２の上面に対して平行に位置させて、当該回転刃具１２をテーブル２の上面に直角に位置させた状態となる。この直角切りが最も多様される切断形態である。この直角切り位置は、従来公知（例えば特許文献２）の直角位置決め機構３０によって位置決めされる。
この直角位置決め機構３０は、直角位置決めレバー３１を備えている。この直角位置決めレバー３１は、支軸３２を介して傾斜支持部２２の内部に回動可能に支持されている。支軸３２は、傾斜支軸２３に対して平行に配置されている。この支軸３２を中心にして直角位置決めレバー３１は、図示省略した捩りばねによってその先端部を傾斜支持部２２の内壁に押し当てた規制位置側に付勢されている。図３において規制位置に位置する直角位置決めレバー３１が実線で示されている。これに対して後述する退避位置に移動した直角位置決めレバー３１が二点鎖線で示されている。
傾斜基台部２１には、３つのストッパボルト３３〜３５が設けられている。この三つのストッパボルト３３〜３５は、傾斜基台部２１の上側ほぼ半周の範囲において、外部から内部に貫通してその先端部を内周側に突き出した状態に配置されている。このため、この３つのストッパボルト３３〜３５は、それぞれ傾斜基台部２１の外部からその締め込み量を調整することができる。
図３において中央の第１ストッパボルト３３は、切断機本体１０を直角切り位置に位置決めするためのストッパボルトで、テーブル２の上面に対してほぼ平行に配置されている。図３において左側の第３ストッパボルト３５は切断機本体１０を右側へ４５°傾斜させた傾斜切り位置用のストッパボルトで、図３において右側の第２ストッパボルト３４は切断機本体１０を左側へ４５°傾斜させた傾斜切り位置用のストッパボルトで、それぞれテーブル２の上面に対して約４５°傾斜した向きに配置されている。第２、第３ストッパボルト３４，３５は、後述する傾斜位置決め機構４０を構成している。
この３つのストッパボルト３３〜３５の締め込み量を調整することにより、それぞれ直角切り位置、右側４５°傾斜切り位置、左側４５°傾斜切り位置を微調整することができる。
【０００９】
図３に示すように、直角位置決めレバー３１の先端部を中央の第１ストッパボルト３３に当接させることにより切断機本体１０の直角切り位置が位置決めされる。この位置決め状態で、固定部材２４を締め込んで傾斜基台部２１に対して傾斜支持部２２を回転について固定することにより、切断機本体１０を直角切り位置に固定することができる。
直角位置決めレバー３１が付勢力によりその先端部を傾斜支持部２２の内壁に当接させる規制位置に位置する状態では、切断機本体１０を左側へ傾斜させることができる一方、右側へ傾斜させることができない。切断機本体１０を右側へ傾斜させる場合には、直角位置決めレバー３１を規制位置から退避位置に変位させる。直角位置決めレバー３１を退避位置に変位させるには、傾斜支持部２２の側部に設けた右傾斜用ボタン３６を押し操作する。この右傾斜用ボタン３６は、作動軸部３６ａを備えている。この作動軸部３６ａは、傾斜支持部２２の内側に突き出されている。この作動軸部３６ａの先端部は、規制位置に位置する直角位置決めレバー３１の作動凸部３１ａに向けられている。この右傾斜用ボタン３６は、作動軸部３６ａの先端部を作動凸部３１ａとの間に僅かな隙間をおいた位置に戻す方向に付勢されている。この付勢力に抗して当該右傾斜用ボタン３６を図３において左側へ押し操作すると、作動軸部３６ａの先端が、規制位置に位置する直角位置決めレバー３１の作動凸部３１ａに押し当てられ、これにより当該直角位置決めレバー３１が、規制位置側への付勢力に抗して退避位置側（図３において二点鎖線で示す位置）へ回動する。直角位置決めレバー３１が退避位置に移動すると、その先端部が第１ストッパボルト３３に当接しない位置に変位することから傾斜支持部２２が傾斜基台部２１に対して図３において反時計回り方向へ回動可能となり、これにより切断機本体１０を右側へ傾斜させることができるようになる。
こうして切断機本体１０を右側へ傾斜させた状態から再び左側に戻すと、直角切り位置を通過した段階で直角位置決めレバー３１がその付勢力によって退避位置から規制位置に自動的に戻される。このため、直角切り位置を通過した後、再度右側へ戻すと、直角切り位置決めレバー３１の先端部が第１ストッパボルト３３に当接して、当該切断機本体１０が直角切り位置に精確に位置決めされる。
【００１０】
本実施形態に係る切断機本体１０は、上記直角位置決め機構３０の他、傾斜位置決め機構４０を備えている。この傾斜位置決め機構４０によって、上記の直角切り位置の他、切断機本体１０を左右にそれぞれ一定の角度で傾斜させた複数の傾斜切り位置に位置決めすることができる。
図２及び図３に示すようにこの傾斜位置決め機構４０は、本体支持アーム８の基部付近であって傾斜支持部２２の上部に設けた位置決めピン４１を備えている。この位置決めピン４１が第１の発明に係る位置決め部材の一実施形態に相当する。
この位置決めピン４１は、傾斜支軸２３と平行に配置され、かつその軸方向（前後方向）に一定の範囲で移動可能に支持されている。また、この位置決めピン４１は圧縮ばね４２によって前側（図２において右側）に移動する方向に付勢されている。この位置決めピン４１が圧縮ばね４２の付勢力によって前側のロック位置に移動すると、傾斜支持部２２が傾斜基台部２１に対して回転方向に位置決めされる。逆に、位置決めピン４１が圧縮ばね４２に抗して後ろ側のアンロック位置に移動すると、傾斜支持部２２の傾斜基台部２１に対する回転方向の位置決めが解除されて切断機本体１０の傾斜位置でのロック状態が解除される。また、位置決めピン４１は、上記ロック位置とアンロック位置との間の中間位置に移動することによって、前記第２若しくは第３ストッパボルト３４，３５に側方から当接する状態となる。本実施形態の位置決めピン４１は、上記３つ位置でそれぞれ機能する。
位置決めピン４１のロック位置とアンロック位置との間及び中間位置への移動操作は、切り換えレバー４５によって行うことができる。図３に示すようにこの切り換えレバー４５は、本体支持アーム８の基部側の側部に設けられている。本実施形態では、この切り換えレバー４５に円柱形の摘み（ダイヤル）が用いられている。この切り換えレバー４５は、切り換えロッド４６を備えている。この切り換えロッド４６は、本体支持アーム８に対してその軸回りに回転自在な状態で支持されており、その先端側は本体支持アーム８の内部に至っている。この切り換えロッド４６の先端部には、作動板４７が取り付けられている。図３に示すようにこの作動板４７には二股部４７ａ，４７ａが設けられている。この二股部４７ａ，４７ａ間に上記位置決めピン４１が挿通されている。図２に示すように、この作動板４７の二股部４７ａ，４７ａの後ろ側に、位置決めピン４１に取り付けた作動軸部４３の両端部が当接されている。この作動軸部４３は、位置決めピン４１に径方向に貫通した状態に取り付けられて、その両端部を放射方向に突き出した状態に設けられている。この作動軸部４３の両端部は、圧縮ばね４２によって位置決めピン４１がロック位置側に付勢されていることにより、作動板４７の両二股部４７ａ，４７ａに弾性的に押圧されている。
切り換えレバー４５を回転操作すると、これと一体で切り換えロッド４６がその軸回りに回転する。切り換えロッド４６がその軸回りに回転すると、図２において二点鎖線で示すように作動板４７が切り換えロッド４６の軸線を中心にして前後に傾動する。作動板４７が後ろ側（図２において左側）に傾動すると、作動軸部４３が後ろ側に押されることにより位置決めピン４１が圧縮ばね４２に抗してロック位置から中間位置へ、さらに中間位置からアンロック位置に移動する。作動板４７が前側（図２において右側）に傾動すると、作動軸部４３が前側へ移動可能となって、位置決めピン４１が圧縮ばね４２によってアンロック位置から中間位置へ、さらに中間位置からロック位置に移動する。図３では、ロック位置とアンロック位置の位置決めピン４１及び作動板４７が二点鎖線で示され、その間の中間位置の位置決めピン４１及び作動板４７が実線で示されている。
【００１１】
次に、傾斜基台部２１の内部には、前記第１〜第３のストッパボルト３３〜３５に加えて位置決め凹部５０が設けられている。本実施形態では、この位置決め凹部５０として合計４つの位置決め孔５１Ｌ，５１Ｒ，５２Ｌ，５２Ｒが設けられている。各位置決め孔５１Ｌ，５１Ｒ，５２Ｌ，５２Ｒは、上記位置決めピン４１の先端テーパ部４１ａをその軸線方向の途中まで挿入可能な径及び深さの円形孔に形成されている。また、各位置決め孔５１Ｌ，５１Ｒ，５２Ｌ，５２Ｒは、傾斜支軸２３の軸線（傾斜支持部２２の回転中心）を中心とする同一円周上であって位置決めピン４１と傾斜支軸２３との間の軸間距離に相当する半径の円周上に沿って配置されている。このため、傾斜支軸２３を中心にして傾斜支持部２２を傾斜基台部２１に対して回転させて切断機本体１０を左右に傾動させると、位置決めピン４１が各位置決め孔５１Ｌ，５１Ｒ，５２Ｌ，５２Ｒと同軸となる位置（対向する位置）に順次移動する。
図３に示すように各位置決め孔５１Ｌ，５１Ｒ，５２Ｌ，５２Ｒは、基線Ｓに対して左右対称に２つずつ配置されている。切断機本体１０を直角切り位置に位置させると、位置決めピン４１は基線Ｓ上に位置する。前記したようにこの直角切り位置では、直角位置決め機構３０の直角位置決めレバー３１が第１ストッパボルト３３に当接して傾斜基台部２１に対する傾斜支持部２２の回転方向の位置が規制されることにより切断機本体１０が位置決めされるのであり、このとき傾斜位置決め機構４０の位置決めピン４１は傾斜基台部２１の内壁面に単に突き当てられた状態となっている。
基線Ｓに最も近い左右の第１位置決め孔５１Ｌ，５１Ｒは、基線Ｓから左右にそれぞれ２２．５°傾斜した位置に配置されている。同様に、左右の第２位置決め孔５２Ｌ，５２Ｒは基線Ｓからそれぞれ３３．９°傾斜した位置に配置されている。前記した切り換えレバー４５を回転操作して位置決めピン４１を第１位置決め孔５１Ｌ（５１Ｒ）に挿入させると、切断機本体１０が左側（右側）へ２２．５°傾斜した位置に位置決めされ、第２位置決め孔５２Ｌ（５２Ｒ）に挿入させると、切断機本体１０が左側（右側）に３３．９°傾斜した位置に位置決めされる。
切断機本体１０の各傾斜位置での位置決め状態は、前記固定レバー２５の操作による固定部材２４の締め込みによって強固に固定される。
また、位置決めピン４１が切り換えレバー４５の操作によって中間位置に位置する状態で切断機本体１０を左右に傾動させると、この位置決めピン４１は位置決め孔５１Ｌ（又は５１Ｒ，５２Ｌ，５２Ｒ）に挿入されるのではなく、第２若しくは第３ストッパボルト３４，３５に側方から当接した状態となる。この状態では、切断機本体１０が左側若しくは右側へ４５°傾斜した位置に位置決めされる。
図４は、位置決めピン４１を中間位置に保持した状態で切断機本体１０を左側へ４５°傾斜させた状態を示している。この状態では、位置決めピン４１が第２ストッパボルト３４に側方から当接された状態となっている。この状態で、固定レバー２５の操作により固定部材２４を締め込めば、切断機本体１０が使用者から見て左側へ４５°傾斜した位置に位置決め、固定され、これにより左側４５°の傾斜切りを行うことができる。
これに対して、図５に示すように、同じく位置決めピン４１を中間位置に保持した状態で切断機本体を右側へ４５°傾斜させると、当該位置決めピン４１が第３ストッパボルト３５に対して側方から当接された状態となる。この状態で、固定レバー２５の操作により固定部材２４を締め込めば、切断機本体１０が使用者から見て右側へ４５°傾斜した位置に位置決め、固定され、これにより右側４５°の傾斜切りを行うことができる。
【００１２】
各傾斜位置に一旦位置決めされた切断機本体１０を他の傾斜角度に位置決めする場合、あるいは直角切り位置に戻す場合には、切り換えレバー４５の回転操作により位置決めピン４１を圧縮ばね４２に抗して中間位置若しくはアンロック位置に移動させてその先端テーパ部４１ａを各位置決め孔（位置決め凹部５０）から抜き出せば、傾斜支持部２２が傾斜基台部２１に対して傾斜支軸２３回りに回転可能となり、これにより切断機本体１０を左右に傾動可能な状態若しくは直角位置に戻し可能な状態となる。
また、切り換えレバー４５の回転操作により位置決めピン４１をアンロック位置に位置させた状態では、図２に示すように当該位置決めピン４１が第２及び第３ストッパボルト３４，３５には当接しない位置（図２において最も左側の位置）まで後退した状態となる。この状態では、切断機本体１０を直角切り位置から左側へ４５°よりも大きな角度（例えば４８°）まで傾斜させることができ、さらに右傾斜用ボタン３６を押し操作して直角位置決めレバー３１を退避位置に移動させることにより右側へも４５°よりも大きな角度（例えば４８°）まで傾斜させることができる。左側及び右側へ例えば４８°の角度まで傾斜させた場合には、固定レバー２５を固定側に操作することにより切断機本体１０を左側へ４８°傾斜させた位置、若しくは右側へ４８°傾斜させた位置に固定することができる。
図３に示すように切り換えレバー４５は、その周面にディテント機構４８を備えている。このディテント機構４８によって、切り換えレバー４５を、その回転操作方向の３箇所に位置保持することができ、これにより位置決めピン４１をロック位置、アンロック位置及び中間位置に保持することができる。
このディテント機構４８は、圧縮ばね４８ａにより切り換えレバー４５の周面から突き出す方向に付勢された係合部材４８ｂを備えている。一方、切り換えレバー４５の周囲であって、本体支持アーム８の側面には、ロック位置用の第一凹部８ａと、中間位置用の第２凹部８ｂと、アンロック位置用の第３凹部８ｃが約４５°の角度範囲に設けられている。図２に示すように切り換えレバー４５を回転操作すると、切り換えロッド４６がその軸回りに回転することから、作動板４７が前後方向に回動し、これにより位置決めピン４１がロック位置とアンロック位置との間で移動する。
切り換えレバー４５をロック位置側に回転操作して係合部材４８ｂを第１凹部８ａ内に嵌め込んだ状態とすると、作動板４７が前側に回動して位置決めピン４１がロック位置に保持される。切り換えレバー４５を中間位置側に回転操作して係合部材４８ｂを第２凹部８ｂ内に嵌め込んだ状態とすると、作動板４７が図３中実線で示す中間位置に回動して位置決めピン４１が中間位置に保持される。切り換えレバー４５をアンロック位置側に回転操作して係合部材４８ｂを第３凹部８ｃ内に嵌め込んだ状態とすると、作動板４７が図３中二点鎖線で示す後ろ側の位置に回動し、これにより位置決めピン４１がアンロック位置に保持される。位置決めピン４１がアンロック位置に保持された状態で固定レバー２５を緩めれば、切断機本体１０を直角切り位置から左側へ傾動させることができ、さらに右傾斜ボタン３６を押し操作すれば、右側へも傾動させることができる。
使用者が指先で係合部材４８ｂを圧縮ばね４８ａに抗して押し下げることにより切り換えレバー４５を回転操作することができる。
【００１３】
以上のように構成した本実施形態の卓上切断機１によれば、位置決めピン４１（位置決め部材）を位置決め孔（位置決め凹部５０）５１Ｌ（又は５１Ｒ，５２Ｌ，５２Ｒ）に挿入することにより傾斜基台部２１に対する傾斜支持部２２の傾斜支軸２３回りの位置を位置決めし、これにより切断機本体１０の傾斜位置を位置決めするいわゆるポジティブストップ機構を採用した構成であるので、使用者は従来のようにわざわざ角度目盛りを確認しながら切断機本体１０を傾斜させる必要がないので、切断機本体１０の傾動操作を迅速かつ精確に行うことができ、この点で当該卓上切断機１の使い勝手を向上させることができる。
また、位置決めピン４１を挿入するための、位置決め孔５１Ｌ，５１Ｒ，５２Ｌ，５２Ｒを左右両方向の複数箇所（本実施形態ではそれぞれ２箇所）に設けておくことにより、位置決めボルト３４，３５の当接により位置決めされる左右の４５°傾斜角度に加えてより多くの傾斜角度（本例では、左右にそれぞれ２２．５°、３３．９°）で切断機本体１０を位置決めすることができる。このため、使用者が選択できる傾斜切り位置の傾斜角度について従来よりも選択の幅が広がり、より多様な形態の切断加工を行うことができるようになる。
以上説明した実施形態には種々変更を加えることができる。例えば、位置決め部材として位置決めピンを例示したが、例えば先端くさび形のブロック体を位置決め部材として用いることもできる。また、位置決め凹部として位置決め孔を用いる構成を例示したが、本発明における位置決め凹部は、位置決め部材に対して左右両方向の変位を規制する機能を有すれば足りることから、孔ではなく、傾動方向両側から位置決め部材を挟んでその左右両側への変位を規制する壁部を設ける構成としてもよい。
さらに、切断機本体１０をテーブル面方向にスライドさせるスライド機構を備えた切断機１を例示したが、係るスライド機構を備えない切断機についても同様に適用することができる。
【００１４】
次に、図６には、第２実施形態の傾斜位置決め機構７０を備えた卓上切断機６０が示されている。第１実施形態に係る卓上切断機１と同様の構成及び部材については同位の符号を用いてその説明を省略する。
この第２実施形態に係る卓上切断機６０は、傾斜位置決め機構７０の他に、上下二段のスライド機構を備えている点で、前記第１実施形態に係る卓上切断機１と異なっている。下側のスライド機構は、前記第１実施形態と同様左右一対のスライドバー６，６をテーブル２の下面に沿って前後にスライド自在に支持した構成とされている。このスライドバー６，６の後端部に第２実施形態に係る傾斜位置決め機構７０が取り付けられている。この傾斜位置決め機構７０と切断機本体１０との間に上側のスライド機構６１が取り付けられている。この上側のスライド機構６１は、左右一対のスライドバー６２，６２とこれを前後方向にスライド可能に支持するスライド支持部６３を備えている。スライド支持部６３は、傾斜位置決め機構７０の傾斜支持部７２に一体に設けた本体支持アーム６４の上部に設けられている。上スライド機構６１の両スライドバー６２，６２の前端部に本体支持ブラケット６５を介して切断機本体１０が支持されている。切断機本体１０は、本体支持ブラケット６５の本体傾動軸６６を介して上下に傾動可能に支持されている。このように上下二段のスライド機構を介して切断機本体１０が支持されることにより、第１実施形態に係る卓上切断機１に比してより大きなストロークで切断機本体１０を前後方向にスライドさせることができ、これによりさらに大型の切断材Ｗの切断加工が可能となっている。
第２実施形態の傾斜位置決め機構７０の詳細が図７以降に示されている。この傾斜位置決め機構７０は、テーブル２側の傾斜基台部７１と切断機本体１０側の傾斜支持部７２を備えている。傾斜基台部７１は、下側スライドバー６，６の後端部に取り付けられている。図１０、１２〜１５に示すようにこの傾斜基台部７１に対して傾斜支持部７２は傾斜支軸７３を介して回転可能に結合されている。第１実施形態と同様、この傾斜支軸７３はテーブル２の上面に対して平行で、かつ平面的に見てテーブル２の回転中心を通り、また回転刃具１２の回転軸線に対して直交する状態に配置されている。この傾斜支軸７３を中心にして傾斜支持部７２が傾斜基台部７１に対して回転することにより切断機本体１０が左右に傾動する。傾斜支持部７２の傾斜基台部７１に対する回転位置は、第１実施形態と同様固定レバー２５の回動操作による固定部材２４の締め込みにより固定される。固定レバー２５を緩み方向に回動操作すれば傾斜支持部７２が傾斜基台部７１に対して回転可能な状態となり、切断機本体１０を左右に傾動させることができる。なお、図７以降では、固定レバー２５及び固定部材２４の図示が省略されている。
【００１５】
第２実施形態の傾斜位置決め機構７０においても、切断機本体１０を左右へ４５°傾斜させた傾斜切り位置に加えて複数の傾斜角度に位置決めすることができるようになっている。また、この第２実施形態の傾斜位置決め機構７０にも、第１実施形態と同様の直角位置決め機構８０が併設されている。この直角位置決め機構８０によって直角切り位置の位置決めがなされる点については第１実施形態と同様である。第２実施形態における直角位置決め機構８０の詳細が図１３〜図１５に示されている。なお、図１３〜図１５は、傾斜支持部７２の内部を前側から見た図であり、第１実施形態を示す図３〜図５とは見る方向が反対になっている。
図１３〜図１５に示すように第２実施形態に係る直角位置決め機構８０は、直角位置決めレバー８１を備えている。この直角位置決めレバー８１は、支軸８２を介して傾斜支持部７２の内部に回動可能に支持されている。支軸８２は、傾斜支軸７３に対して平行に配置されている。この支軸８２を中心にして直角位置決めレバー８１は、捩りばね８７によってその先端部を外周側へ変位させるロック位置側（図１３〜図１５において反時計回り方向）に付勢されている。
この直角位置決めレバー８１の側方に右傾斜ボタン８６が配置されている。この右傾斜ボタン８６は図１５においてのみ二点鎖線で示されており、図１３及び図１４では省略されている。この右傾斜ボタン８６は、図６に示すように傾斜支持部７２の左側部に配置されている。この右傾斜ボタン８６を押し込み操作すると、その作動軸部８６ａによって直角位置決めレバー８１が捩りばね８７に抗してアンロック位置側（図１３〜図１５において時計回り方向）に押される。図１３に示すようにこの直角位置決めレバー８１が、第１ストッパボルト８３に当接すると切断機本体１０が直角切り位置に位置決めされる。第１ストッパボルト８３は、傾斜基台部７１の右側部に取り付けられている。
【００１６】
傾斜支持部７２の右側部に第２ストッパボルト８４が取り付けられ、左側部に第３ストッパボルト８５が取り付けられている。従って、切断機本体１０を左右に傾動させると、これと一体で第２及び第３ストッパボルト８４，８５が移動する。これに対して、第１ストッパボルト８３は移動しない。この点で、第１〜第３ストッパボルト３３〜３５が全て傾斜基台部２１側に取り付けられて相互の位置関係が変化しない第１実施形態とは異なっている。
第２実施形態における傾斜基台部７１の上部内側にはストッパブロック部７４が設けられている。図１４に示すようにこのストッパブロック部７４の右側部に第２ストッパボルト８４が当接することにより切断機本体１０の左側へ４５°傾斜した位置（左４５°傾斜切り位置）が位置決めされる。また、図１５に示すようにこのストッパブロック部７４の左側部に第３ストッパボルト８５が当接することにより、切断機本体１０の右側へ４５°傾斜した位置（右４５°傾斜切り位置）が位置決めされる。
図１３に示す直角切り位置から図１４に示す左４５°傾斜切り位置へ移動させる場合には、直角位置決めレバー８１が第１ストッパボルト８３から遠ざかる方向に移動する。これに対して図１３に示す直角切り位置から図１５に示す右４５°傾斜切り位置へ移動させる場合には、切断機本体１０を一旦左側へ僅かに傾動させた状態で前記した右傾斜ボタン８６を押し込み操作することにより直角位置決めレバー８１を第１ストッパボルト８３の正面から下方へ変位させて当該第１ストッパボルト８３と干渉しない位置へ移動させる。その後、切断機本体１０を右側へ４５°傾動させると、ストッパブロック部７４の左側部に第３ストッパボルト８５が当接して当該切断機本体１０が右４５°傾斜切り位置に位置決めされる。図１３に示す直角切り位置、図１４に示す左４５°傾斜切り位置、図１５に示す右４５°傾斜切り位置は、それぞれ固定レバー２５を締め込み方向に回動操作することにより固定される。
【００１７】
次に、第２実施形態の傾斜位置決め機構７０は、位置決めピン７５を備えている。この位置決めピン７５は、第１実施形態とは逆に傾斜基台部７１側に設けられている。この位置決めピン７５は、上記ストッパブロック部７４に設けた支持孔７４ａに支持されている。この支持孔７４を介して位置決めピン７５は、傾斜支軸７３と平行に支持されている。位置決めピン７５の前後両端部は、それぞれストッパブロック部７４の前部及び後部から突き出されている。位置決めピン７５の後部にはより大径の先端テーパ部７５ａが設けられている。この先端テーパ部７５ａは円錐形に尖っている。この先端テーパ部７５ａと支持孔７４ａの後端部との間には圧縮ばね７５が介装されている。この圧縮ばね７５によって位置決めピン７５はロック位置側（図１０及び図１２において右側）に付勢されている。
一方、ストッパブロック部７４の前部から突き出された位置決めピン７５の前端部には、板ばね７７の上端部が連結されている。この板ばね７７は、その下部が傾斜支軸７３の頭部７３ａに挟まれて傾斜基台部７１の中心に固定されている。この板ばね７７の後側には、作動カム７８が配置されている。この作動カム７８は、カム軸７９に一体に取り付けられている。このカム軸７９の右端部側は、傾斜基台部７１の右側部から突き出されており、この突き出し部分に切り換えレバー９０が取り付けられている。この切り換えレバー９０を前後に傾動操作することによってカム軸７９が一定の角度で回転する。作動カム７８には、作動アーム部７８ａが設けられている。
図９に示すように切り換えレバー９０を手前側へ傾動操作すると、図１０に示すように作動カム７８が反時計回り方向に回動して作動アーム部７８ａが下方へ変位する。作動アーム部７８ａが下方へ変位すると、板ばね７７が傾斜支軸７３の頭部７３ａから真っ直ぐ上方へ立ち上がった位置に戻される。この状態では、位置決めピン７５が圧縮ばね７６によって後側のロック位置に戻される。これに対して、図１１に示すように切り換えレバー９０を後側（使用者から見て先方であって手前側とは反対側）へ傾動操作すると、図１２に示すように作動カム７８が時計回り方向に回動して作動アーム部７８ａが上方へ変位する。作動アーム部７８ａが上方へ変位すると、板ばね７７がその付勢力に抗して前側へ押されて、その上端部が前側へ変位する。板ばね７７の上端部が前側へ変位することにより、位置決めピン７５が圧縮ばね７６に抗して前側のアンロック位置に移動する。
切り換えレバー９０の傾動操作に伴う作動アーム部７８ａの変位によって板ばね７７が前後に変位し、これにより位置決めピン７５がロック位置とアンロック位置との間を移動することから、切り換えレバー９０の傾動操作には、位置決めピン７５の移動について板ばね７７の付勢力による節度感が持たせられている。従って、使用者は切り換えレバー９０の節度感によって位置決めピン７５のロック位置とアンロック位置をはっきりと区別して認識することができ、この点で操作性がよくなっている。
このように、第２実施形態の傾斜位置決め機構７０では、左右に傾動しない傾斜基台部７１の側部に設けた切り換えレバー９０の傾動操作によって位置決めピン７５がロック位置とアンロック位置との間を移動し、これにより当該機構７０のロック操作、アンロック操作がなされる。この点、前記第１実施形態では、左右に傾動する傾斜支持部２２側に設けた切り換えレバー４５の回転操作によって位置決めピン４１がロック位置とアンロック位置との間を移動する構成であり、この点でも第２実施形態は第１実施形態とは異なっている。
【００１８】
図１３〜図１５に示すように傾斜支持部７２の前面に、位置決めピン７５が挿入される合計４つの位置決め孔９１Ｌ，９１Ｒ，９２Ｌ，９２Ｒが設けられている。第１実施形態と同様、この４つの位置決め孔９１Ｌ，９１Ｒ，９２Ｌ，９２Ｒは、傾斜支軸７３と位置決めピン７５との軸間距離に相当する半径の同一円周上に沿って配置されている。また、切断機本体１０を直角切り位置に位置させた時に位置決めピン７５が突き当てられる当該円周上の一点と傾斜支軸７３の軸線を通る基線Ｓに対して左側に位置決め孔９１Ｌ，９２Ｌが配置され、右側に位置決め孔９１Ｒ，９２Ｒが左右対称に配置されている。
基線Ｓに対して、位置決め孔９１Ｌは左側に２２．５°傾斜した位置、位置決め孔９２Ｌは左側に３３．９°傾斜した位置、位置決め孔９１Ｒは右側に２２，５°傾斜した位置、位置決め孔９２Ｒは右側に３３．９°傾斜した位置に配置されている。各位置決め孔９１Ｌ，９１Ｒ，９２Ｌ，９２Ｒは、位置決めピン７５の先端テーパ部７５ａが途中まで挿入される径及び深さで設けられている。
図１０に示すように位置決めピン７５が前側から向かって左側の位置決め孔９１Ｌに挿入されると、図８に示すように切断機本体１０は右側へ２２．５°傾斜した傾斜切り位置に位置決めされる。切断機本体１０が右側へさらに傾動されて、位置決めピン７５が前側から向かって左側の位置決め孔９２Ｌに挿入されると、当該切断機本体１０は右側へ３３．９°傾斜した傾斜切り位置に位置決めされる。逆に、位置決めピン７５が前側から向かって右側の位置決め孔９１Ｒに挿入されると、切断機本体１０は左側へ２２．５°傾斜した傾斜切り位置に位置決めされ、同じく前側から向かって右側の位置決め孔９２Ｒに挿入されると、切断機本体１０は左側へ３３．９°傾斜した傾斜切り位置に位置決めされる。各傾斜切り位置に位置決めされた後、固定レバー２５を締め込むと切断機本体１０が各傾斜切り位置に位置決めされた状態で固定される。
図１３に示すように第１ストッパボルト８３に直角位置決めレバー８１を当接させて切断機本体１０を直角切り位置に位置決めした状態で切り換えレバー９０をロック側に傾動操作すると、位置決めピン７５は、左側の位置決め孔９１Ｌと右側の位置決め孔９１Ｒの中間に突き当てられる。また、図１４に示すように第２ストッパボルト８４をストッパブロック部７４の右側面に当接させて切断機本体１０を左側へ４５°傾斜させた傾斜切り位置に位置決めした状態で切り換えレバー９０をロック側に傾動操作すると、位置決めピン７５は、右側の位置決め孔９２Ｒのさらに右側に突き当てられる。逆に、図１５に示すように第３ストッパボルト８５をストッパブロック部７４の左側面に当接させて切断機本体１０を右側へ４５°傾斜させた傾斜切り位置に位置決めした状態で切り換えレバー９０をロック側に傾動操作すると、位置決めピン７５は、左側の位置決め孔９２Ｌのさらに左側に突き当てられる。
【００１９】
図１０に示すように傾斜基台部７１の前面には凹部７１ａが設けられている。この凹部７１ａ内に、板ばね７７、作動カム７８及びカム軸７９が配置されている。また、この凹部７１ａ内に傾斜支軸７３の頭部７３ａが位置している。この凹部７１ａはカバー９３で覆われている。図８は、このカバー９３を取り外した状態を示している。
また、第２実施形態の傾斜位置決め機構７０は、２系統の角度目盛り９５，９６を備えている。この２系統の角度目盛り９５，９６によって切断機本体１０の傾斜角度を迅速かつ正確に読み取ることができるようになっている。本尺としての第１角度目盛り９５は、指針９５ａと目盛り表示部９５ｂを備えている。指針９５ａは傾斜基台部７１の上部に取り付けられている。目盛り表示部９５ｂは、傾斜支持部７２の上部から上方へほぼ垂直に立ち上がる状態に固定された目盛り板９５ｃの前面に表示されている。第１角度目盛り９５の目盛り表示部９５ｂは、角度１°毎に目盛り線が表示され、角度０°、１５°、２２．５°、３０°、３３．９°、４５°の目盛り線には角度が数値表示されている。
副尺としての第２角度目盛り９６は、指針９６ａと目盛り表示部（図示省略）を備えている。指針９６ａは傾斜支持部７１の上部前面に取り付けられている。第２角度目盛り９６の目盛り表示部は、傾斜基台部７１の上面に刻印によって表示されている。第２角度目盛り９６の目盛り表示部は５°毎に目盛り線が表示されている。
このように設けた２系統の角度目盛り９５，９６によって、使用者は切断機本体１０の傾斜角度を楽な姿勢で正確に読み取ることができる。すなわち、第１角度目盛り９５の目盛り表示部９５ｂは切断機本体１０の傾動中心（傾斜支軸７３）からより離れた部位に配置されていることから目盛り線の間隔が大きくなって正確に傾斜角度を読み取ることができる（高精度）。一方、第２角度目盛り９６の目盛り線が傾斜基台部７１の上面に表示されているため、使用者はこれを前方斜め上方からのぞき込むことができ、これにより楽な姿勢で読み取ることができる（視認性）。
【００２０】
以上のように構成した第２実施形態の傾斜位置決め機構７０によっても、傾斜基台部７１側に設けた位置決めピン７５を、傾斜支持部７２側に設けた位置決め孔９１Ｌ（又は９２Ｌ，９１Ｒ，９２Ｒ）に挿入して切断機本体１０の傾斜位置を位置決めするポジティブストップ機構が採用されていることから、使用者は切断機本体１０の傾斜位置決めを迅速かつ精確に行うことができる。
また、第２実施形態の場合、位置決めピン７５を移動操作するための切り換えレバー９０が傾斜基台部７１の側部であって、使用者から目視しやすい部位に設けられていることから、使用者はこの切り換えレバー９０の操作位置を直接目視して確認することができるとともに、当該切り換えレバー９０を楽な姿勢で迅速に操作することができるので、この点で操作性を一層高めることができる。
さらに、第２実施形態では、切り換えレバー９０の傾動操作による作動カム７８の回転により板ばね７７を変位させて位置決めピン７５を移動させる構成であり、当該板ばね７７の付勢力を切り換えレバー９０に作用させてその切り換え操作に節度感を持たせることができるので、使用者は指先で切り換えレバー９０を傾動する際に、位置決めピン７５のロック位置とアンロック位置をはっきりと区別して認識することができ、この点でも操作性をよくすることができる。また、板ばね７７の付勢力によって切り換えレバー９０に節度感が持たせられているので、当該切り換えレバー９０がロック位置とアンロック位置の中間位置で停止することを防止でき、これにより当該傾斜位置決め機構の誤操作を未然に防止することができる。
また、切り換えレバー９０を前後に傾動させてロック、アンロックする構成（レバー式）であるので、前記ダイヤル式に比して使用者は指先１本で操作することができ、この点でも操作性が一層よくなっている。
以上説明した第２実施形態にも種々変更を加えることができる。例えば、上下二段のスライド機構を備えた切断機を例示したが、切断機本体１０をテーブル面方向にスライドさせる機能を備えない切断機についても同様に適用することができる。
また、位置決め部材として位置決めピン７５に代えて、例えば先端くさび形のブロック体を位置決め部材として用いることもできる。さらに、位置決め凹部として位置決め孔を用いる構成を例示したが、孔に代えて傾動方向両側から位置決め部材を挟んでその左右両側への変位を規制する壁部を設ける構成としてもよい。
【図面の簡単な説明】
【００２１】
【図１】本発明の第１実施形態に係る卓上切断機の全体側面図である。
【図２】本発明の第１実施形態に係る傾斜支持機構の縦断面図である。
【図３】図２の(3)-(3)線断面矢視図であって、傾斜支持機構の内部を後ろ側から見た図である。本図は、切断機本体を直角切り位置に位置させた状態を示している。
【図４】切断機本体を左側へ４５°傾斜させた状態における、傾斜支持機構の内部を後ろ側から見た図である。
【図５】切断機本体を右側へ４５°傾斜させた状態における、傾斜支持機構の内部を後ろ側から見た図である。
【図６】第２実施形態の傾斜位置決め機構を備えた卓上切断機の全体側面図である。
【図７】第２実施形態の傾斜位置決め機構の斜視図である。本図は、傾斜位置決め機構を前右側斜め上方から見た状態を示している。
【図８】第２実施形態の傾斜位置決め機構の前面図である。本図は、切断機本体が右側へ２２．５°傾斜した位置（右２２．５°傾斜切り位置）に位置決めされた状態を示している。
【図９】第２実施形態の傾斜位置決め機構の右側面図である。本図は、図８に示す状態の傾斜位置決め機構を矢印(IX)方向から見た図である。また、本図は、切り換えレバーをロック位置側に操作した状態を示している。
【図１０】第２実施形態の傾斜位置決め機構の縦断面図であって、図８の(X)-(X)線断面矢視図である。本図では、位置決めピンがロック位置に位置する状態が示されている。
【図１１】第２実施形態の傾斜位置決め機構の右側面図である。本図は、図９と同じく切断機本が右側へ２２．５°傾斜した位置に位置決めされた状態において、切り換えレバーをアンロック位置側に操作した状態を示している。
【図１２】第２実施形態の傾斜位置決め機構の右側面図である。本図では、位置決めピンがアンロック位置に位置する状態が示されている。
【図１３】傾斜支持部の内部を前側から見た図である。本図は、切断機本体が直角切り位置に位置決めされた状態を示している。第１ストッパボルトは手前側の傾斜基台部に設けられているので本図では二点鎖線で示されている。
【図１４】傾斜支持部の内部を前側から見た図である。本図は、切断機本体が左側へ４５°傾斜した位置（左４５°傾斜切り位置）に位置決めされた状態を示している。第１ストッパボルトは手前側の傾斜基台部に設けられているので本図では二点鎖線で示されている。
【図１５】傾斜支持部の内部を前側から見た図である。本図は、切断機本体が右側へ４５°傾斜した位置（右４５°傾斜切り位置）に位置決めされた状態を示している。第１ストッパボルトは手前側の傾斜基台部に設けられているので図では二点鎖線で示されている。
【符号の説明】
【００２２】
１…卓上切断機（第１実施形態）
Ｗ…切断材
２…テーブル、２ａ…グリップ部、２ｂ…ロック機構
３…ベース
４…本体支持部
５…位置決めフェンス
６…スライドバー
８…本体支持アーム、８ａ…第１凹部、８ｂ…第２凹部、８ｃ…第３凹部
９…本体傾動軸
１０…切断機本体
１１…本体ケース
１２…回転刃具、１２ａ…回転方向を表示する矢印
１３…スピンドル
１４…ハンドル部
１５…スイッチレバー
１６…可動カバー
１７…リンクアーム、１７ａ…支軸
２０…傾斜支持機構
２１…傾斜基台部、２１ａ…ねじ孔
２２…傾斜支持部
２３…傾斜支軸
２４…固定部材、２４ａ…ねじ軸部
２５…固定レバー
Ｓ…基線（直角切り位置）
３０…直角位置決め機構
３１…直角位置決めレバー、３１ａ…作動凸部
３２…支軸
３３…第１ストッパボルト（直角切り位置決め用）
３４…第２ストッパボルト（左４５°傾斜位置決め用）
３５…第３ストッパボルト（右４５°傾斜位置決め用）
３６…右傾斜用ボタン、３６ａ…作動軸部
４０…傾斜位置決め機構（第１実施形態）
４１…位置決めピン、４１ａ…先端テーパ部
４２…圧縮ばね
４３…作動軸部
４５…切り換えレバー
４６…切り換えロッド
４７…作動板、４７ａ…二股部
４８…ディテント機構、４８ａ…圧縮ばね、４８ｂ…係合部材
５０…位置決め凹部
５１Ｌ，５１Ｒ，５２Ｌ，５２Ｒ…位置決め孔
６０…卓上切断機（第２実施形態）
６１…上側スライド機構
６２…スライドバー
６３…スライド支持部
６４…本体支持アーム
６５…本体支持ブラケット
７０…傾斜位置決め機構（第２実施形態）
７１…傾斜基台部、７１ａ…凹部
７２…傾斜支持部
７３…傾斜支軸
７４…ストッパブロック部
７５…位置決めピン、７５ａ…先端テーパ部
７６…圧縮ばね
７７…板ばね
７８…作動カム、７８ａ…作動アーム部
７９…カム軸
８０…直角位置決め機構
８１…直角位置決めレバー
８２…支軸
８３…第１ストッパボルト（直角切り位置決め用）
８４…第２ストッパボルト（右４５°傾斜位置決め用）
８５…第３ストッパボルト（左４５°傾斜位置決め用）
８６…右傾斜ボタン
８７…捩りばね
９０…切り換えレバー
９１Ｌ，９１Ｒ，９２Ｌ，９２Ｒ…位置決め孔
９３…カバー
９５…第１角度目盛り、９５ａ…指針、９５ｂ…目盛り板
９６…第２角度目盛り、９６ａ…指針
【図１】
0005259299.tif 000002
【図２】
0005259299.tif 000003
【図３】
0005259299.tif 000004
【図４】
0005259299.tif 000005
【図５】
0005259299.tif 000006
【図６】
0005259299.tif 000007
【図７】
0005259299.tif 000008
【図８】
0005259299.tif 000009
【図９】
0005259299.tif 000010
【図１０】
0005259299.tif 000011
【図１１】
0005259299.tif 000012
【図１２】
0005259299.tif 000013
【図１３】
0005259299.tif 000014
【図１４】
0005259299.tif 000015
【図１５】
0005259299.tif 000016